(57)【要約】【課題】電子シャッタ動作を行った場合においても、飛び込みノイズにより画質が劣化することがない固体撮像装置及びその駆動方法を実現できるようにする。【解決手段】固体撮像装置は、撮像回路５０と、信号処理回路５１とを備えている。撮像回路５０は、行列状に配置された複数の画素部を有し、各画素部の信号を不連続部分を有する撮像信号として行ごとに出力する。信号処理回路５１は、撮像信号を一時的に記憶するメモリ部５４と、撮像信号のメモリ部５４への書き込み及び読み出しを行うメモリ制御部５３とを有し、不連続部分を有する撮像信号を連続した画像信号に変換する。【選択図】図１
2007173953.tif 000002
【特許請求の範囲】
【請求項１】
行列状に配置された複数の画素部を有し、前記各画素部の信号を不連続部分を有する撮像信号として行ごとに出力する撮像回路と、
前記撮像信号を一時的に記憶するメモリ部及び前記撮像信号の前記メモリ部への書き込み及び読み出しを行うメモリ制御部を有し、不連続部分を有する前記撮像信号を連続した画像信号に変換する信号処理回路とを備えていることを特徴とする固体撮像装置。
【請求項２】
前記メモリ制御部は、不連続部分を有する前記撮像信号を連続した信号となるように前記メモリ部に書き込んだ後、書き込んだ信号を前記メモリ部から読み出す回路であることを特徴とする請求項１に記載の固体撮像装置。
【請求項３】
前記メモリ制御部は、不連続部分を有する前記撮像信号を前記メモリ部に書き込んだ後、書き込んだ不連続部分を有する信号を連続した信号となるように前記メモリ部から読み出す回路であることを特徴とする請求項１に記載の固体撮像装置。
【請求項４】
前記撮像回路は、
垂直ブランキング期間外で且つ水平ブランキング期間外の水平有効期間において前記撮像信号を出力し、
前記水平有効期間において、前記画素部を駆動する駆動パルスが供給されている場合には、前記撮像信号の出力動作を中断することを特徴とする請求項１から３のいずれか１項に記載の固体撮像装置。
【請求項５】
前記撮像回路は、
垂直ブランキング期間外で且つ水平ブランキング期間外の水平有効期間において前記撮像信号を出力し、
前記水平有効期間における、前記画素部を駆動する駆動パルスの立ち上がり時及び立ち下がり時において前記撮像信号の出力動作を中断することを特徴とする請求項１から３のいずれか１項に記載の固体撮像装置。
【請求項６】
前記各画素部は、
光電変換部と、
前記光電変換部の電荷を読み出すフローティングディフュージョン部と、
前記光電変換部と前記フローティングディフュージョン部との間に接続された読み出しトランジスタと、
前記フローティングディフュージョン部の状態を初期化するリセットトランジスタと、
前記フローティングディフュージョン部に蓄積された電荷を検出する検出トランジスタとを有し、
前記駆動パルスは、前記読み出しトランジスタを駆動する読み出しパルスと、前記リセットトランジスタを駆動するリセットパルスとを含んでいることを特徴とする請求項４又は５に記載の固体撮像装置。
【請求項７】
前記撮像回路は、
列ごとに設けられ、前記複数の画素部のうちの選択された行の画素部の電荷をそれぞれ蓄積する複数の行メモリ部と、
前記行メモリに蓄積された電荷を順次読み出し、前記撮像信号として出力する水平シフトレジスタ部とを有し、
前記撮像信号の出力動作の中断は、前記水平シフトレジスタの駆動を停止することにより行うことを特徴とする請求項４から６のいずれか１項に記載の固体撮像装置。
【請求項８】
前記信号処理回路は、前記撮像回路を駆動する撮像回路駆動信号と、前記メモリ制御部を駆動するメモリ制御部駆動信号とを生成するタイミングジェネレータ部を有し、
前記メモリ制御部駆動信号は、前記メモリ制御部に対して、前記水平シフトレジスタの動作が停止していることを伝達する信号を含むことを特徴とする請求項７に記載の固体撮像装置。
【請求項９】
請求項１から８のいずれか１項に記載の固体撮像装置を備えていることを特徴とするカメラ。
【請求項１０】
行列状に配置された複数の画素部を有し、前記各画素部の信号を撮像信号として順次出力する撮像回路と、前記撮像信号を処理する信号処理回路とを備えた固体撮像装置の駆動方法であって、
垂直ブランキング期間外で且つ水平ブランキング期間外の水平有効期間において、前記画素部を駆動する駆動パルスを供給するステップと、
少なくとも前記駆動パルスの立ち上がり時及び立ち下がり時において、前記撮像信号の出力動作を中断するステップと、
前記撮像信号の出力が中断された部分を除去して連続した画像信号を生成するステップとを備えていることを特徴とする固体撮像装置の駆動方法。
【発明の詳細な説明】
【技術分野】
【０００１】
本発明は、固体撮像装置及び駆動方法に関し、特に電子シャッタ動作を行う固体撮像装置及び駆動方法に関する。
【背景技術】
【０００２】
図６はＭＯＳトランジスタで構成された従来の固体撮像素子の一例を示している（例えば、特許文献１を参照。）。図６に示すように従来の固体撮像装置は、複数の増幅型単位画素が二次元的に配列された撮像領域１１０を備えている。
【０００３】
各増幅型単位画素は、半導体基板上に形成された、フォトダイオード（ＰＤ）部１１１と、読み出しトランジスタ１１２を介してＰＤ部１１１と接続され、ＰＤ部１１１の電荷が読み出され蓄積されるフローティングディフュージョン（ＦＤ）部１１７と、ＦＤ部１１７の状態を初期化するリセットトランジスタ１１３と、ＦＤ部１１７と接続され画素の信号を制御する検出トランジスタ１１４とを有している。
【０００４】
各検出トランジスタ１１４のソースは列ごとに設けられた垂直信号線１１５とそれぞれ接続されている。各垂直信号線１１５は、行メモリ１２３及び負荷トランジスタ１１８のソースとそれぞれ接続されている。
【０００５】
タイミング発生回路１４０から供給された駆動タイミングパルスにより動作する垂直シフトレジスタ１４１が増幅型単位画素を行ごとに選択する。選択された各行の増幅型単位画素の信号は、負荷トランジスタ１１５がオン状態の場合に行メモリ１２３に蓄積される。その後に、タイミング発生回路１４０から供給された駆動タイミングパルスにより水平シフトレジスタ１４２が駆動され、行メモリ１２３に蓄積された画素の信号が、水平信号線１２６を経由して順次出力アンプ１２７から撮像信号として出力される。
【０００６】
図７は従来の固体撮像装置における垂直ブランキング期間外の水平駆動期間のタイミングを示している。水平駆動期間は、水平ブランキング期間（ＨＢＬＡＮＫ）と水平有効期間とから構成されている。水平ブランキング期間において、１行分の画素の信号を行メモリ１２３に蓄積する動作を行い、水平有効期間において、行メモリ１２３に蓄積された１行分の画素の信号を撮像信号として出力する。
【０００７】
タイミングＴ1において水平ブランキング期間が開始される。タイミングＴ2においてＶDD電源１１６の電圧及び負荷トランジスタ駆動線１１９の電圧がハイ（“Ｈ”）の状態においてｎ行目（但しｎは正の整数である。）のリセットパルス線１３２にリセットパルスを印加し、ＦＤ部１１７をリセットすると同時にｎ行目の検出トランジスタ１１４を選択状態とする。
【０００８】
タイミングＴ3において読み出しパルス線１３１に読み出しパルスを印加し、ＰＤ部１１１の電荷をＦＤ部１１７に読み出す。読み出された電荷による信号が検出トランジスタ１１４を介して行メモリ１１３に蓄積される。
【０００９】
タイミングＴ4においてＶDD電源１１６の電圧及び負荷トランジスタ駆動線１１９の電圧がロー（“Ｌ”）状態で、ｎ行目のリセットパルス線１３２にリセットパルスを印加して、ＦＤ部１１７の電位を“Ｌ”状態とし、ｎ行目の検出トランジスタ１１４を非選択状態とする。タイミングＴ5において、水平ブランキング期間が終了し、水平有効期間が開始される。行メモリ１２３に蓄積された信号は、水平有効期間の間に水平シフトレジスタ１４２を駆動することにより、撮像信号として順次出力される。
【特許文献１】特開平７−１５４６９９
【発明の開示】
【発明が解決しようとする課題】
【００１０】
しかしながら、固体撮像装置をカメラ等に用いる場合には、ＰＤ部１１１が光電変換した電荷を蓄積する露光期間を制御するための電子シャッタ動作が必要となる。図７に示すようにｎ＋１行目のＰＤ部１１１の露光期間は、ｎ行目の有効期間内の任意のタイミングにおいて供給されたリセットパルス及び読み出しパルスの立ち下がりからｎ＋１行目の読み出しを開始するタイミングＴ8までの期間となる。
【００１１】
タイミングＴ6においてｎ＋１行目のリセットパルス線１３２にリセットパルスが印加され、ｎ＋１行目の読み出しパルス線１３１に読み出しパルスが印加される。タイミングＴ6においては、ＶDD電源１１６の電圧が“Ｈ”状態で、負荷トランジスタ制御線１１９の電圧が“Ｌ”状態であるため、ＦＤ部１１７の電位は“Ｈ”状態となる。読み出しトランジスタ１１２オン状態となることにより、ＰＤ部１１１の電荷がＦＤ部１１７に読み出されると同時にＶDD電源１１６に電荷が掃き出される。このとき掃き出される電荷による信号は負荷トランジスタ１１８がオフ状態となっているため行メモリ１２３に蓄積されない。
【００１２】
このように、従来の固体撮像装置においては、電子シャッタ動作のために、ｎ行目の水平有効期間内にｎ＋１行目の駆動パルスが入る。タイミングＴ6における駆動パルスは、撮像信号に飛び込みノイズを発生させ、画質が大幅に劣化するという問題がある。
【００１３】
本発明は、前記従来の問題を解決し、電子シャッタ動作を行った場合においても、飛び込みノイズにより画質が劣化することがない固体撮像装置及びその駆動方法を実現できるようにすることを目的とする。
【課題を解決するための手段】
【００１４】
前記の目的を達成するため、本発明は固体撮像装置を、電子シャッタ動作を行う場合に出力を中断する構成とする。
【００１５】
具体的に本発明に係る固体撮像装置は、行列状に配置された複数の画素部を有し、各画素部の信号を不連続部分を有する撮像信号として行ごとに出力する撮像回路と、撮像信号を一時的に記憶するメモリ部と、撮像信号のメモリ部への書き込み及び読み出しを行うメモリ制御部とを有し、不連続部分を有する撮像信号を連続した画像信号に変換する信号処理回路とを備えていることを特徴とする。
【００１６】
本発明の固体撮像装置によれば、各画素部の信号を不連続部分を有する撮像信号として行ごとに出力する撮像回路と、不連続部分を有する撮像信号を連続した画像信号に変換する信号処理回路とを備えているため、撮像信号が飛び込みノイズの影響を受けることを防止できると共に、正確な画像データを得ることができる。従って、飛び込みノイズによる画質の劣化を抑えることが可能であり、高画質の固体撮像装置を実現できる。
【００１７】
本発明の固体撮像装置においてメモリ制御部は、不連続部分を有する撮像信号を連続した信号となるようにメモリ部に書き込んだ後、書き込んだ信号をメモリ部から読み出す回路であることが好ましい。また、メモリ制御部は、不連続部分を有する撮像信号をメモリ部に書き込んだ後、書き込んだ不連続部分を有する信号を連続した信号となるようにメモリ部から読み出す回路であってもよい。このような構成とすることにより、不連続部分を有する撮像信号を連続した画像信号に確実に変換することができる。
【００１８】
本発明の固体撮像装置において撮像回路は、垂直ブランキング期間外で且つ水平ブランキング期間外の水平有効期間において撮像信号を出力し、水平有効期間において、画素部を駆動する駆動パルスが供給されている場合には、撮像信号の出力動作を中断することが好ましい。このような構成とすることにより、撮像信号に飛び込みノイズが乗ることを確実に防止することができる。
【００１９】
本発明の固体撮像装置において撮像回路は、垂直ブランキング期間外で且つ水平ブランキング期間外の水平有効期間において撮像信号を出力し、水平有効期間における、画素部を駆動する駆動パルスの立ち上がり時及び立ち下がり時において撮像信号の出力動作を中断することが好ましい。このような構成とすることにより、撮像信号に飛び込みノイズが乗ることを防止でき且つ撮像信号の出力時間を確保することが可能となる。
【００２０】
本発明の固体撮像装置において各画素部は、光電変換部と、光電変換部の電荷を読み出すフローティングディフュージョン部と、光電変換部とフローティングディフュージョン部との間に接続された読み出しトランジスタと、フローティングディフュージョン部の状態を初期化するリセットトランジスタと、フローティングディフュージョン部に蓄積された電荷を検出する検出トランジスタとを有し、駆動パルスは、読み出しトランジスタを駆動する読み出しパルスと、リセットトランジスタを駆動するリセットパルスとを含んでいることが好ましい。
【００２１】
本発明の固体撮像装置において撮像回路は、列ごとに設けられ、複数の画素部のうちの選択された行の画素部の電荷をそれぞれ蓄積する複数の行メモリ部と、行メモリに蓄積された電荷を順次読み出し、撮像信号として出力する水平シフトレジスタ部とを有し、撮像信号の出力動作の中断は、水平シフトレジスタの駆動を停止することにより行うことが好ましい。
【００２２】
本発明の固体撮像装置において信号処理回路は、撮像回路を駆動する撮像回路駆動信号と、メモリ制御部を駆動するメモリ制御部駆動信号とを生成するタイミングジェネレータ部を有し、メモリ制御部駆動信号は、メモリ制御部に対して、水平シフトレジスタの動作が停止していることを伝達する信号を含むことが好ましい。このような構成とすることにより、不連続部分を有する撮像信号を連続した画像信号に確実に変換できる。
【００２３】
本発明に係るカメラは、本発明に係る固体撮像装置を備えていることを特徴とする。
【００２４】
本発明に係る固体撮像装置の駆動方法は、行列状に配置された複数の画素部を有し、各画素部の信号を撮像信号として順次出力する撮像回路と、撮像信号を処理する信号処理回路とを備えた固体撮像装置の駆動方法を対象とし、垂直ブランキング期間外で且つ水平ブランキング期間外の水平有効期間において、画素部を駆動する駆動パルスを供給するステップと、少なくとも駆動パルスの立ち上がり時及び立ち下がり時において、撮像信号の出力動作を中断するステップと、撮像信号の出力が中断された部分を除去して連続した画像信号を生成するステップとを備えていることを特徴とする。
【００２５】
本発明の固体撮像装置の駆動方法によれば、少なくとも駆動パルスの立ち上がり及び立ち下がりにおいて、撮像信号の出力動作を中断するステップを備えているため、撮像信号が高速電子シャッタ駆動等による飛び込みノイズの影響を受けることがない。従って、画質を大幅に向上させることができる。また、撮像信号の出力が中断された部分を除去して連続した画像信号を生成するステップを備えているため、正確な画像信号を得ることが可能となる。
【発明の効果】
【００２６】
本発明に係る固体撮像装置及び駆動方法によれば、電子シャッタ動作を行った場合においても、飛び込みノイズによる画質の劣化を生じることがない。
【発明を実施するための最良の形態】
【００２７】
（第１の実施形態）
本発明の第１の実施形態について図面を参照して説明する。図１は第１の実施形態に係る固体撮像装置のブロック構成を示している。図１に示すように本実施形態の固体撮像装置は、ＭＯＳ型の固体撮像素子である撮像回路５０と、撮像回路５０への駆動パルスの供給及び撮像回路５０の撮像信号を処理する信号処理回路５１とから構成されている。
【００２８】
図２は撮像回路５０の回路構成を示している。図２に示すように、撮像回路５０は、複数の増幅型単位画素２１がマトリックス状に配列された撮像領域１０を備えている。図には撮像領域１０が２行３列の場合を示しているが、行数及び列数は任意に設定してよい。
【００２９】
各画素２１は、フォトダイオードからなる光電変換（ＰＤ）部１１と、読み出しトランジスタ１２を介在させてＰＤ部１１と接続され、ＰＤ部１１の電荷を蓄積するフローティングディフュージョン（ＦＤ）部１７とを有している。ＦＤ部１７は、リセットトランジスタ１３を介在させてＶDD電源１６と接続されると共に、検出トランジスタ１４を介在させて垂直信号線１５と接続されている。
【００３０】
読み出しトランジスタ１２のゲートは、読み出しパルス線３１と接続され、リセットトランジスタ１３のゲートは、リセットパルス線３２と接続されている。読み出しパルス線３１及びリセットパルス線３２は、行ごとに設けられており、垂直信号線１５は列ごとに設けられている。
【００３１】
各垂直信号線１５には、１行分の信号を蓄積する行メモリ２３の入力端子と、負荷トランジスタ１８とが接続されている。各行メモリ２３の出力端子は、水平制御トランジスタ２５を介在させて水平信号線２６とそれぞれ接続されており、水平信号線２６は出力アンプ２７と接続されている。各負荷トランジスタ１８は、各垂直信号線１５と接地との間にそれぞれ接続され、各負荷トランジスタのゲートは、負荷トランジスタ駆動線１９とそれぞれ接続されている。
【００３２】
読み出しトランジスタ１２及びリセットトランジスタ１３は、それぞれ垂直シフトレジスタ４１によって駆動され、水平制御トランジスタ２５は、水平シフトレジスタ４２によって駆動される。垂直シフトレジスタ４１及び水平シフトレジスタ４２は、信号処理回路５１から供給される駆動パルスによって駆動される。
【００３３】
信号処理回路５１には、固体撮像素子から出力されたアナログ信号をサンプリングしてＡ／Ｄ変換を行うアナログフロントエンド（ＡＦＥ）部５２と、ＡＦＥ部５２により変換されたデジタル信号をメモリ部５４に書き込むメモリ制御部５３と、メモリ部５４から読み出された画像信号に対してＯＢクランプ処理、ホワイトバランス処理及びＹＵＶ処理等の一般的な画像信号処理を行う画像信号処理部５５とが設けられている。また、画像信号処理部５５から出力された画像信号のフォーマットを調整して画像出力として撮像装置外部に出力するインターフェース部５８と、撮像回路５０を駆動する信号及びメモリ制御部５３に対する制御信号を出力するタイミングジェネレータ（ＴＧ）部５７と、各ブロックを制御する中央処理ユニット（ＣＰＵ）部５６とが設けられている。
【００３４】
以下に、本実施形態に係る固体撮像装置の動作について説明する。図３は本実施形態の固体撮像装置の垂直ブランキング期間外の水平駆動期間における動作タイミングを示している。なお、図にはｎ（但しｎは、正の整数である。）行目を駆動するタイミングについて示しているが、他の行の動作も同じである。
【００３５】
水平駆動期間は、水平ブランキング期間（ＨＢＬＡＮＫ）と水平有効期間とからなる。図３において、水平ブランキング期間はタイミングＴ1から開始され、水平有効期間はタイミングＴ5から開始される。水平ブランキング期間においては、画素２１から信号を読み出して行メモリ２３へ蓄積する動作が行われ、水平有効期間においては、行メモリ２３に蓄積された信号が、撮像信号として順次出力される。また、水平有効期間においては、次の行の画素２１に対する高速電子シャッタ動作が行われる。
【００３６】
タイミングＴ1において水平ブランキング期間が開始され、タイミングＴ2においてＶDD電源１６及び負荷トランジスタ駆動線１９の電圧がハイ（“Ｈ”）状態においてｎ行目のリセットパルス線３２にリセットパルスが供給される。これにより、ｎ行目のリセットトランジスタ１３がオン状態となり、ＦＤ部１７がリセットされると同時にｎ行目の検出トランジスタ１４が選択状態となる。次に、タイミングＴ3において、ｎ行目の読み出しパルス線３１に読み出しパルスが供給され、読み出しトランジスタ１２がオン状態となり、ＰＤ部１１の電荷がＦＤ部１７に読み出される。ｎ行目のＰＤ部１１から読み出された電荷による信号は、検出トランジスタ１４を通して行メモリ２３に蓄積される。
【００３７】
タイミングＴ4においてＶDD電源１６の電圧が“Ｌ”状態において、ｎ行目のリセットパルス線３２にリセットパルスが供給され、ｎ行目のリセットトランジスタ１３がオン状態となる。これにより、ＦＤ部１７の電位が“Ｌ”となりｎ行目の検出トランジスタ１４が非選択状態となる。
【００３８】
Ｔ5において、水平ブランキング期間が終了し、水平有効期間が開始される。水平有効期間において、水平シフトレジスタが駆動され、行メモリ２３に蓄積されていたｎ行目の各画素２１の信号が水平信号線２６に順次読み出され、出力アンプ２７を通して撮像信号として出力される。
【００３９】
一方、ｎ行目の水平有効期間内の任意のタイミングＴ6から、ｎ＋１行目の高速電子シャッタ動作が開始される。タイミングＴ6においてＶDD電源１６の電圧が“Ｈ”状態で、負荷トランジスタ駆動線１９の電圧が“Ｌ”状態においてｎ＋１行目のリセットパルス線３２にリセットパルスが供給され、ｎ＋１行目の読み出しパルス線３１に読み出しパルスが供給される。これによりｎ＋１行目のリセットトランジスタ１３及びｎ＋１行目の読み出しトランジスタ１２がオン状態となる。これにより、ＦＤ部１７の電位が“Ｈ”状態となりＰＤ部１１の電荷はＶDD電源１６へ掃き出される。負荷トランジスタ１８はオフ状態であるため、掃き出された電荷による信号がｎ＋１行目の検出トランジスタ１４を通して行メモリ２３に蓄積されることはない。
【００４０】
タイミングＴ7において水平有効期間が終了し、撮像信号の出力が終了すると共に、次の水平ブランキング期間が開始される。この水平ブランキング期間においては、タイミングＴ8においてｎ＋１行目のリセットパルス線３２にリセットパルスが供給され、ｎ＋１行目のＰＤ部１１からの電荷の読み出しが行われる。この際に読み出される電荷は、タイミングＴ6において供給されたリセットパルス及び読み出しパルスの立ち下がりからタイミング８の間までのｎ＋１行目露光期間においてＰＤ部１１に蓄積された電荷であり、高速電子シャッタ動作が行われる。
【００４１】
本実施形態においては、水平有効期間であるタイミングＴ6において、ｎ＋１行目の画素２１に対してリセットパルス及び読み出しパルスが供給されている。従って、タイミングＴ6において、リセットパルス及び読み込みパルスによる飛び込みノイズが発生する。しかし、本実施形態においては、ｎ行目の画素２１の撮像信号の出力動作をリセットパルス及び読み出しパルスが供給されている間中断している。このため、撮像信号が飛び込みノイズの影響を受けることがない。本実施形態においては、出力動作の中断を水平シフトレジスタ４２の動作を停止することにより行っている。
【００４２】
本実施形態においては撮像信号が飛び込みノイズの影響を受けることがない。しかし、出力動作を中断するため、撮像信号は、不連続部分を有する信号として出力される。本実施形態においては、不連続部分を有する撮像信号を、再び連続な画像信号に変換するため、信号処理回路５１にメモリ部５４とメモリ制御部５３とを設けている。
【００４３】
撮像回路５０から出力された水平方向に不連続部分を有する撮像信号は、信号処理回路５１に入力され、ＡＦＥ部５２によってサンプリング及びＡ／Ｄ変換される。ＡＦＥ部５２においてＡ／Ｄ変換された不連続部分を有する撮像信号は、メモリ制御部５３によってメモリ部５４に順次格納される。この際に、メモリ制御部５３はＴＧ部５７から撮像回路５０の水平シフトレジスタ４２の停止位置についての情報を受けとり、水平シフトレジスタ４２の停止位置においては、撮像信号のメモリ部５４への格納を行わない。これにより撮像信号の不連続部分がメモリ部５４に格納されないため、メモリ部５４には連続な画像信号に変換されて格納される。
【００４４】
メモリ部５４から読み出された連続な画像信号は画像信号処理部５５へ入力され、一般的な映像信号処理が行われる。画像信号処理部５５から出力された画像信号はインターフェース部５８に入力され、画像信号のフォーマットを調整し画像出力として固体撮像装置の外部に出力される。
【００４５】
従って、本実施形態の固体撮像装置は、高速電子シャッタ動作等によって生じる飛び込みノイズ等に影響されない連続な画像信号を得ることができる。これにより従来の高速電子シャッタ駆動による画像信号に比べて、画質を大幅に向上することができる。
【００４６】
なお、不連続部分を有する撮像信号をメモリ部５４に順次格納した後、画像信号の不連続部分を飛ばしてメモリ部５４から読み出すことにより、不連続部分を有する撮像信号から連続な画像信号への変換を行ってもよい。
【００４７】
（第２の実施形態）
以下に、本発明の第２の実施形態について図面を参照して説明する。図４は第２の実施形態に係る固体撮像装置の垂直ブランキング期間外の水平駆動期間における動作タイミングを示している。本実施形態の固体撮像装置の回路構成は、第１の実施形態の固体撮像装置の回路構成と同一であるので、説明を省略する。
【００４８】
図４に示すように本実施形態においては、撮像回路５０の撮像信号の出力動作を中断する期間を、リセットパルス及び読み出しパルスの立ち上がり時及び立ち下がり時のみとしている。リセットパルス及び読み出しパルスが供給されている期間を通して撮像信号の出力動作を中断すると、行メモリ２３に蓄積した信号を出力する時間が不足する場合が生じる。このため、本実施形態においてはリセットパルス及び読み出しパルスのうち、ノイズが最も強く発生する恐れがある、パルスの立ち上り時及び立ち下り時のみにおいて、水平シフトレジスタを停止し、撮像信号の出力動作を中断している。
【００４９】
これにより、有効期間内において、行メモリ２３に蓄積された信号を読み出す時間の不足を解消し、画像を正確に出力することが可能となる。
【００５０】
図５は第２の実施形態に係る固体撮像装置を用いたカメラのブロック構成の一例を示している。図５に示すように本実施形態のカメラは、撮像回路５０及び信号処理回路５１からなる本実施形態の固体撮像装置７１と、光学系７２と、固体撮像装置から出力された信号を表示及び記録する表示処理回路７３と、表示装置７４とを備えている。本実施形態のカメラは、飛び込みノイズ等に影響されず、高画質な画像が得られる。また、第１の実施形態に係る固体撮像装置を用いても同様の効果が得られる。
【産業上の利用可能性】
【００５１】
本発明に係る固体撮像装置及びその駆動方法は、電子シャッタ動作を行った場合においても、飛び込みノイズにより画質が劣化することがない固体撮像装置及びその駆動方法を実現でき、電子シャッタ動作を行う固体撮像装置及びその駆動方法等として有用である。
【図面の簡単な説明】
【００５２】
【図１】本発明の第１の実施形態に係る固体撮像装置の構成を示すブロック図である。
【図２】本発明の第１の実施の形態に係る固体撮像装置の撮像回路の構成を示す回路図である。
【図３】本発明の第１の実施形態に係る固体撮像装置における垂直ブランキング期間外の水平駆動期間の動作を示すタイミング図である。
【図４】本発明の第２の実施形態に係る固体撮像装置における垂直ブランキング期間外の水平駆動期間の動作を示すタイミング図である。
【図５】本発明の第２の実施形態に係るカメラの構成を示すブロック図である。
【図６】従来例に係る固体撮像装置の一例を示す回路図である。
【図７】従来例に係る固体撮像装置における垂直ブランキング期間外の水平駆動期間の動作を示すタイミング図である。
【符号の説明】
【００５３】
１１    光電変換部
１２    読み出しトランジスタ
１３    リセットトランジスタ
１４    検出トランジスタ
１５    垂直信号線
１６    ＶDD電源
１７    フローティングディフュージョン部
１８    負荷トランジスタ
１９    負荷トランジスタ駆動線
２０    撮像領域
２１    画素
２３    行メモリ
２６    水平信号線
２７    出力アンプ
３１    読み出しパルス線
３２    リセットパルス線
４１    垂直シフトレジスタ
４２    水平シフトレジスタ
５０    撮像回路
５１    信号処理回路
５２    アナログフロントエンド部
５３    メモリ制御部
５４    メモリ部
５５    画像信号処理部
５６    中央処理ユニット部
５７    タイミングジェネレータ部
５８    インターフェース部
７１    固体撮像装置
７２    光学系
７３    表示処理回路
７４    表示装置
【図１】
2007173953.tif 000003
【図２】
2007173953.tif 000004
【図３】
2007173953.tif 000005
【図４】
2007173953.tif 000006
【図５】
2007173953.tif 000007
【図６】
2007173953.tif 000008
【図７】
2007173953.tif 000009